(57)【要約】【課題】二重液晶を有する表示装置において表示性能の低下を抑制しつつキャリブレーションを行う。【解決手段】発光手段と、前記発光手段からの光の透過率を調節する第１表示パネルと、前記第１表示パネルからの透過光の透過率を調節する第２表示パネルと、を備える表示装置の前記第２表示パネルの透過光の測定値と目標値を取得する取得手段と、前記取得手段により取得される前記測定値と前記目標値に基づき、前記第１表示パネルの制御に用いられる第１画像データを補正する第１補正処理を行うことにより前記表示装置のキャリブレーションを行うキャリブレーション手段と、を備えることを特徴とする制御装置。【選択図】  図２
2017102188.tif 000002
【特許請求の範囲】
【請求項１】
発光手段と、前記発光手段からの光の透過率を調節する第１表示パネルと、前記第１表示パネルからの透過光の透過率を調節する第２表示パネルと、を備える表示装置の前記第２表示パネルの透過光の測定値と目標値を取得する取得手段と、
前記取得手段により取得される前記測定値と前記目標値に基づき、前記第１表示パネルの制御に用いられる第１画像データを補正する第１補正処理を行うことにより前記表示装置のキャリブレーションを行うキャリブレーション手段と、
を備えることを特徴とする制御装置。
【請求項２】
前記キャリブレーション手段は、前記第１補正処理により補正された第１画像データにより前記第１表示パネルが制御されている状態で、前記取得手段により取得される前記測定値と前記目標値に基づき、前記第２表示パネルの制御に用いられる第２画像データを補正する第２補正処理を行う請求項１に記載の制御装置。
【請求項３】
前記キャリブレーション手段は、前記第２表示パネルの透過光の測定値を前記目標値に近づけるように前記第１補正処理を行った後の前記測定値と前記目標値の差異が閾値より大きい場合に、前記第２補正処理を行う請求項２に記載の制御装置。
【請求項４】
前記取得手段は、黒輝度の目標値を取得し、
前記キャリブレーション手段は、黒輝度に関して前記第１補正処理を行う請求項１〜３のいずれか１項に記載の制御装置。
【請求項５】
前記取得手段は、白輝度の目標値を取得し、
前記キャリブレーション手段は、白輝度に関して前記第１補正処理を行う請求項１〜３のいずれか１項に記載の制御装置。
【請求項６】
発光手段と、前記発光手段からの光の透過率を調節する第１表示パネルと、前記第１表示パネルからの透過光の透過率を調節する第２表示パネルと、を備える表示装置の前記第２表示パネルの透過光の測定値と目標値を取得する取得手段と、
前記取得手段により取得される前記測定値と前記目標値に基づき、前記第１表示パネルと前記第２表示パネルのうち透過率の調節に関する性能が低い方である副パネルの制御に用いられる第１画像データを補正する第１補正処理を行うことにより前記表示装置のキャリブレーションを行うキャリブレーション手段と、
を備えることを特徴とする制御装置。
【請求項７】
前記キャリブレーション手段は、前記第１補正処理により補正された第１画像データにより前記副パネルが制御されている状態で、前記取得手段により取得される前記測定値と前記目標値に基づき、前記第１表示パネルと前記第２表示パネルのうち前記副パネルでない方の主パネルの制御に用いられる第２画像データを補正する第２補正処理を行う請求項６に記載の制御装置。
【請求項８】
前記キャリブレーション手段は、前記第２表示パネルの透過光の測定値を前記目標値に近づけるように前記第１補正処理を行った後の前記測定値と前記目標値の差異が閾値より大きい場合に、前記第２補正処理を行う請求項７に記載の制御装置。
【請求項９】
前記取得手段は、黒輝度の目標値を取得し、
前記キャリブレーション手段は、黒輝度に関して前記第１補正処理及び前記第２補正処理を行う請求項７又は８に記載の制御装置。
【請求項１０】
前記キャリブレーション手段は、前記第２表示パネルの透過光の測定値を前記目標値より暗い値で前記目標値に近づけるように前記第１補正処理を行う請求項９に記載の制御装置。
【請求項１１】
前記キャリブレーション手段は、前記第１補正処理により前記第１画像データを補正する補正値を算出するものであって、前記第２表示パネルの透過光の測定値を前記目標値に近づけるように前記第１補正処理を行った後の前記測定値と前記目標値との差異が閾値より大きく、かつ、前記測定値が前記目標値より明るい場合、前記副パネルの透過光が暗くなる方向に前記補正値を修正し、修正された補正値で補正された前記第１画像データにより前記副パネルが制御されている状態で、前記第２補正処理を行う請求項９に記載の制御装置。
【請求項１２】
前記キャリブレーション手段は、前記副パネルの階調で１段分だけ透過光が暗くなるように前記補正値の修正を行う請求項１１に記載の制御装置。
【請求項１３】
前記取得手段は、白輝度の目標値を取得し、
前記キャリブレーション手段は、白輝度に関して前記第１補正処理及び前記第２補正処理を行う請求項７又は８に記載の制御装置。
【請求項１４】
前記キャリブレーション手段は、前記第２表示パネルの透過光の測定値を前記目標値より明るい値で前記目標値に近づけるように前記第１補正処理を行う請求項１３に記載の制御装置。
【請求項１５】
前記キャリブレーション手段は、前記第１補正処理により前記第１画像データを補正する補正値を算出するものであって、前記第２表示パネルの透過光の測定値を前記目標値に近づけるように前記第１補正処理を行った後の前記測定値と前記目標値との差異が閾値より大きく、かつ、前記測定値が前記目標値より暗い場合、前記副パネルの透過光が明るくなる方向に前記補正値を修正し、修正された補正値で補正された前記第１画像データにより前記副パネルが制御されている状態で、前記第２補正処理を行う請求項１３に記載の制御装置。
【請求項１６】
前記キャリブレーション手段は、前記副パネルの階調で１段分だけ透過光が明るくなるように前記補正値の修正を行う請求項１５に記載の制御装置。
【請求項１７】
前記キャリブレーション手段は、前記表示装置の階調性能を優先する第１モードと、コントラスト性能を優先する第２モードと、を切り替えて前記キャリブレーションを行うものであり、前記第１モードにおいて、前記第１補正処理における前記補正値の修正を行う請求項１１、１２、１５及び１６のいずれか１項に記載の制御装置。
【請求項１８】
前記キャリブレーション手段は、前記第２モードにおいて、前記第２表示パネルの透過光の測定値をできるだけ前記目標値に近づけるように前記第１補正処理を行う請求項１７に記載の制御装置。
【請求項１９】
前記第１表示パネルが前記副パネルであり、
前記第２表示パネルが前記主パネルである請求項７〜１８のいずれか１項に記載の制御装置。
【請求項２０】
前記第１表示パネルが前記主パネルであり、
前記第２表示パネルが前記副パネルである請求項７〜１８のいずれか１項に記載の制御装置。
【請求項２１】
前記キャリブレーション手段は、前記取得手段により取得される前記測定値と前記目標値に基づき、前記発光手段の発光量を補正する第３補正処理をさらに行うことにより前記表示装置のキャリブレーションを行う請求項１〜２０のいずれか１項に記載の制御装置。
【請求項２２】
前記キャリブレーション手段は、前記第３補正処理を行った後に、前記第１補正処理を行う請求項２１に記載の制御装置。
【請求項２３】
前記キャリブレーション手段は、前記取得手段により取得される前記測定値と前記目標値に基づき、前記発光手段の発光量を補正する第３補正処理をさらに行い、前記第３補正処理を行った後に、前記第１補正処理及び前記第２補正処理を行うことにより前記表示装置のキャリブレーションを行う請求項２、３、７〜２０のいずれか１項に記載の制御装置。
【請求項２４】
前記キャリブレーション手段は、白輝度の目標値を取得し、
前記キャリブレーション手段は、白輝度に関して前記第３補正処理を行う請求項２１〜２３のいずれか１項に記載の制御装置。
【請求項２５】
前記第２表示パネルの透過光を測定する測定手段をさらに備え、
前記取得手段は、前記測定手段から前記測定値を取得する請求項１〜２４のいずれか１項に記載の制御装置。
【請求項２６】
前記目標値の入力をユーザから受け付ける入力手段をさらに備える請求項１〜２５のいずれか１項に記載の制御装置。
【請求項２７】
前記発光手段と、前記第１表示パネルと、前記第２表示パネルと、
請求項１〜２６のいずれか１項に記載の制御装置と、を有する表示装置。
【請求項２８】
発光手段と、前記発光手段からの光の透過率を調節する第１表示パネルと、前記第１表示パネルからの透過光の透過率を調節する第２表示パネルと、を備える表示装置の前記第２表示パネルの透過光の測定値と目標値を取得する取得工程と、
前記取得工程により取得される前記測定値と前記目標値に基づき、前記第１表示パネルの制御に用いられる第１画像データを補正する第１補正処理を行うことにより前記表示装置のキャリブレーションを行うキャリブレーション工程と、
を有することを特徴とする制御方法。
【請求項２９】
発光手段と、前記発光手段からの光の透過率を調節する第１表示パネルと、前記第１表示パネルからの透過光の透過率を調節する第２表示パネルと、を備える表示装置の前記第２表示パネルの透過光の測定値と目標値を取得する取得工程と、
前記取得工程により取得される前記測定値と前記目標値に基づき、前記第１表示パネルと前記第２表示パネルのうち透過率の調節に関する性能が低い方である副パネルの制御に用いられる第１画像データを補正する第１補正処理を行うことにより前記表示装置のキャリブレーションを行うキャリブレーション工程と、
を有することを特徴とする制御方法。
【請求項３０】
請求項２８又は２９に記載の制御方法の各工程をコンピュータに実行させるプログラム。
【発明の詳細な説明】
【技術分野】
【０００１】
本発明は、表示装置のキャリブレーションを行う制御装置及び方法に関するものである。
【背景技術】
【０００２】
近年、モニタやデジタルカメラ、プリンタ等、画像を扱うデバイス間において色の調整を行い、出力される色の統一を図るためのカラーマネジメントの重要性が高まってきている。カラーマネジメントは、モニタやプリンタ等の各デバイスに依存しない色再現域を介して画像データのやり取りを行い、各デバイスの出力に関して正確な色再現を実現させている。特に静止画像の編集や印刷物の確認等、正確な色を扱う作業に使用するモニタから出力される色に関して、高い精度を安定して再現させる必要がある。そのため、モニタの出力する色の再現性を一定に保つために定期的に較正処理（キャリブレーション）を精度良く行うことが、特にカラーマネジメントにおいて重要なポイントとなっている。
【０００３】
キャリブレーションに関する従来技術として、特許文献１では、複数の階調について白色画像を表示して測定した輝度（白輝度、単色輝度）、色度に基づいて複数色（ＲＧＢ各色）の変換テーブルの較正を行うことを開示している。特許文献１によれば、カラー表示装置の表示特性を較正することができる。また、キャリブレーションに関する従来の技術としては、調整モード（キャリブレーションモード）をユーザが選択し、ユーザが所望する画質に調整できる機能が開発されている。調整モードとしては、例えば、コントラストが最も高くなるように調整するコントラスト重視モードや、中間階調におけるグレースケールのＲＧＢ各色のバランスを保つように調整するグレーバランス重視モード等が知られている。
【０００４】
液晶表示装置におけるコントラストを向上することを目的とし、２枚以上の液晶パネルを重ね合わせる技術が開発されている。このような液晶表示装置の構造を「二重液晶」と称する。二重液晶により、各液晶パネルの階調数を掛け合わせた階調特性を実現することができ、コントラストを向上させることができる。
二重液晶に関する従来技術として、特許文献２では、２枚の液晶パネルのうち、光源側に白黒パネルを配置し、その液晶パネルに入力された画素の階調値が閾値を超える場合に階調値を閾値以下に補正する技術を開示している。
【先行技術文献】
【特許文献】
【０００５】
【特許文献１】特開２００５−１２８２５４号公報
【特許文献２】特開２００８−１２２５３６号公報
【発明の概要】
【発明が解決しようとする課題】
【０００６】
従来のモニタキャリブレーション処理では、ユーザが設定した所望の画質となるように、表示パネルに入力される画像信号のオフセットやゲインを調整することにより輝度を調整していた。しかし、このような従来のキャリブレーション方法では、表示装置本来の表示性能を低下させてしまう場合があった。特に、二重液晶の構成を有する表示装置においてキャリブレーションを行う場合には、二重液晶の構造が本来有する高度な表示性能を低下させてしまう場合があり、二重液晶の利点を十分に活かすことができない場合があった。
【０００７】
本発明は、二重液晶を有する表示装置において表示性能の低下を抑制しつつキャリブレーションを行う方法を提供することを目的とする。
【課題を解決するための手段】
【０００８】
本発明は、発光手段と、前記発光手段からの光の透過率を調節する第１表示パネルと、前記第１表示パネルからの透過光の透過率を調節する第２表示パネルと、を備える表示装置の前記第２表示パネルの透過光の測定値と目標値を取得する取得手段と、
前記取得手段により取得される前記測定値と前記目標値に基づき、前記第１表示パネルの制御に用いられる第１画像データを補正する第１補正処理を行うことにより前記表示装置のキャリブレーションを行うキャリブレーション手段と、
を備えることを特徴とする制御装置である。
【０００９】
本発明は、発光手段と、前記発光手段からの光の透過率を調節する第１表示パネルと、前記第１表示パネルからの透過光の透過率を調節する第２表示パネルと、を備える表示装置の前記第２表示パネルの透過光の測定値と目標値を取得する取得手段と、
前記取得手段により取得される前記測定値と前記目標値に基づき、前記第１表示パネルと前記第２表示パネルのうち透過率の調節に関する性能が低い方である副パネルの制御に用いられる第１画像データを補正する第１補正処理を行うことにより前記表示装置のキャリブレーションを行うキャリブレーション手段と、
を備えることを特徴とする制御装置である。
【００１０】
本発明は、発光手段と、前記発光手段からの光の透過率を調節する第１表示パネルと、前記第１表示パネルからの透過光の透過率を調節する第２表示パネルと、を備える表示装置の前記第２表示パネルの透過光の測定値と目標値を取得する取得工程と、
前記取得工程により取得される前記測定値と前記目標値に基づき、前記第１表示パネルの制御に用いられる第１画像データを補正する第１補正処理を行うことにより前記表示装置のキャリブレーションを行うキャリブレーション工程と、
を有することを特徴とする制御方法である。
【００１１】
本発明は、発光手段と、前記発光手段からの光の透過率を調節する第１表示パネルと、前記第１表示パネルからの透過光の透過率を調節する第２表示パネルと、を備える表示装置の前記第２表示パネルの透過光の測定値と目標値を取得する取得工程と、
前記取得工程により取得される前記測定値と前記目標値に基づき、前記第１表示パネルと前記第２表示パネルのうち透過率の調節に関する性能が低い方である副パネルの制御に用いられる第１画像データを補正する第１補正処理を行うことにより前記表示装置のキャリブレーションを行うキャリブレーション工程と、
を有することを特徴とする制御方法である。
【発明の効果】
【００１２】
本発明によれば、二重液晶を有する表示装置において表示性能の低下を抑制しつつキャリブレーションを行うことができる。
【図面の簡単な説明】
【００１３】
【図１】実施例１、２、３のシステムの全体構成及びディスプレイの構成を示す図
【図２】実施例１、２、３のシステム構成を示すブロック図
【図３】実施例１、２、３の全体処理のフローチャート
【図４】実施例１のキャリブレーション目標値を入力する画面
【図５】実施例１、２、３のキャリブレーション処理を示すフローチャート
【図６】実施例１のキャリブレーション処理のフローチャート
【図７】実施例１のバックライト輝度調整処理のフローチャート
【図８】実施例１、２、３の白輝度調整処理を行うときの様子を示す図
【図９】実施例１、２、３のバックライト輝度調整処理を説明する図
【図１０】実施例１の黒輝度調整処理のフローチャート
【図１１】実施例１、２、３の黒輝度調整処理を行うときの様子を示す図
【図１２】実施例１の黒輝度調整処理を説明する図
【図１３】実施例１の白輝度調整処理のフローチャート
【図１４】実施例１の白輝度調整処理を説明する図
【図１５】実施例２のキャリブレーション処理のフローチャート
【図１６】実施例３のキャリブレーション目標値を入力する画面
【図１７】実施例３の調整モードを決定する処理のフローチャート
【図１８】実施例３の輝度調整処理Ａのバックライト輝度調整のフローチャート
【図１９】実施例３の輝度調整処理Ａの黒輝度調整のフローチャート
【図２０】実施例３の輝度調整処理Ａの黒輝度調整を示す図
【図２１】実施例３の輝度調整処理Ａの黒輝度調整を示す図
【図２２】実施例３の輝度調整処理Ａの黒輝度調整を示す図
【図２３】実施例３の輝度調整処理Ａの白輝度調整のフローチャート
【図２４】実施例３の輝度調整処理Ａの白輝度調整を示す図
【図２５】実施例３の輝度調整処理Ａの白輝度調整を示す図
【図２６】実施例３の輝度調整処理Ａの白輝度調整を示す図
【図２７】実施例３の輝度調整処理Ｂの白輝度調整のフローチャート
【図２８】実施例３の輝度調整処理Ｂの白輝度調整を示す図
【図２９】実施例３の輝度調整処理Ｂの白輝度調整を示す図
【発明を実施するための形態】
【００１４】
（実施例１）
＜全体構成の説明＞
図１（Ａ）を参照して、本発明の実施例１のシステムの全体構成について説明する。
本構成は、画像信号を出力し、キャリブレーションを行うプログラム（ソフトウェア、アプリケーション）を実行するＰＣ１０１と、キャリブレーション対象の表示装置であるモニタ１０２、及びモニタ１０２の透過光を測定する測色センサ１０３により構成される。また、本構成は、ＰＣ１０１にインストールされているプログラムとキャリブレーション対象のモニタ１０２とでデータの送受信を行う通信線１０５及び画像出力線１０４を有する。なお、測色センサ１０３は、モニタ１０２の表示色を測定した結果をＰＣ１０１又はモニタ１０２へ送信するため、ＰＣ１０１又はモニタ１０２のどちらかに接続される。測色センサ１０３は、モニタ１０２に内蔵される構成でも良い。
【００１５】
＜システム構成の説明＞
図２を参照して、本発明の実施例１のキャリブレーション装置のシステム構成について説明する。
モニタ１０２は、ＰＣ１０１から画像信号を入力し、入力した画像信号を表示部２０８に表示する表示装置である。
ＰＣ１０１は、キャリブレーション部２０１が生成するＧＵＩ（Graphical User Interface）の画像信号を画像信号出力部２０２から出力する。
【００１６】
キャリブレーション部２０１は、キャリブレーション目標値等のデータを記憶部２０３から取得し、データ更新時には記憶部２０３へ保存・記憶する。
キャリブレーション部２０１は、モニタ１０２のキャリブレーションに使用するデータを通信制御部２０４、通信線１０５、通信制御部２１８を介してモニタ１０２へ送信する。同様に、キャリブレーション部２０１は、モニタ１０２の制御部２１４等で処理されたデータを通信制御部２１８、通信線１０５及び通信制御部２０４を介して受信する。
【００１７】
キャリブレーション部２０１は、表示するＧＵＩ画像等の画像信号を、画像信号出力部２０２からモニタ１０２の画像信号入力部２０５へ送信する。
キャリブレーション部２０１により画像信号入力部２０５へ入力された画像信号は、表示制御部２０７で画質調整部２１５により画質調整される。また、画像信号入力部２０５へ入力された画像信号は、表示制御部２０７により、ＧＵＩ制御部２１７が生成したＯＳＤ（on-screen display）の画像信号と合成される。画質調整及びＯＳＤとの合成が行わ
れた後の画像信号は表示部２０８へ送信される。
入力部２２０は、キーボード・マウス２２３を用いて行われるユーザ操作の情報を受け付け、ユーザ操作に対応するコマンド情報をキャリブレーション部２０１へ出力する。
【００１８】
バックライト制御部２０９は、画質調整部２１５で設定された輝度に基づいて、バックライト２１０の発光量の制御を行う。
インターフェース部２１３は、リモコンから送信される信号や本体ボタン２１９等によるユーザ操作を受け付け、受信信号やユーザ操作に対応する制御信号を出力する。例えば、インターフェース部２１３は、ユーザ操作に対応するＧＵＩの制御信号をＧＵＩ制御部２１７に対し送信する。
【００１９】
ＧＵＩ制御部２１７は、インターフェース部２１３から受信した制御信号に基づいて、ＧＵＩ画像データを生成する。ＧＵＩ制御部２１７は、ＧＵＩ画像データに必要な素材データ等をモニタ１０２内にある記憶部２１１から取得し、ＧＵＩ画像データの更新時には画像データを記憶部２１１へ保存、記憶する。
表示制御部２０７は、画像信号入力部２０５に入力された画像信号と、ＧＵＩ制御部２１７によって生成されたＧＵＩの画像信号とを合成し表示部２０８へ出力する。
【００２０】
モニタ１０２における、バックライト２１０、第２液晶パネル２２１、及び第１液晶パネル２２２の構成について説明する。説明にあたっては、図１（Ｂ）を参照する。モニタ１０２のバックライト２１０、第２液晶パネル２２１、及び第１液晶パネル２２２は、図１（Ｂ）にあるように、バックライト２１０の前面に第１液晶パネル２２２、第１液晶パネルの前面に第２液晶パネル２２１が配置される構造である。
【００２１】
図１（Ａ）の表示部２０８は、第２液晶パネル２２１及び第１液晶パネル２２２によって構成され、表示制御部２０７から出力された画像信号に基づく画像を表示する。第１液晶パネル２２２はバックライト２１０からの光の透過率を調節する第１表示パネルであり、第２液晶パネル２２１は第１液晶パネル２２２からの透過光の透過率を調節する第２表示パネルである。実施例１では、第２液晶パネル２２１は、透過率の調節に関する性能（解像度や階調数）が高いメインの液晶パネル（主パネル）であるとする。また、第１液晶パネル２２２は、第２液晶パネル２２１に比べ、透過率の調節に関する性能（解像度や階調数）が低い液晶パネル（副パネル）であるとする。
【００２２】
バックライト２１０は、表示部２０８の第２液晶パネル２２１及び第１液晶パネル２２２を照射する光源である。バックライト２１０は、バックライト制御部２０９によって決定された輝度に基づいて発光量を制御する。バックライト２１０はどのような構成でも良く、光源としてはＬＥＤ（Light Emitting Diode）やＣＣＦＬ（Cold Cathode Fluorescent Lamp）等を用いることができる。
【００２３】
測色制御部２１６は、通信制御部２１８を経由して、モニタ１０２に接続している測色センサ１０３に対して測色に関する一連の制御を行い、第２液晶パネル２２１の透過光の測定値（測色値）の取得を行う。測色制御部２１６は取得した測定値を記憶部２１１へ記憶する。
制御部２１４は、キャリブレーション部２０１が目標値と測色制御部２１６が取得した測定値とに基づきモニタ１０２のキャリブレーションを行う際に、キャリブレーション部２０１の要求に応じてモニタ１０２の画質を調整する。
システム制御部２１２は、モニタ１０２を構成する各機能部の動作を統括的に制御する。
【００２４】
＜キャリブレーション処理フローの説明＞
以上説明したＰＣ１０１とモニタ１０２からなるシステムによって行うモニタ１０２のキャリブレーション処理について説明する。説明にあたっては、図３及び図４を参照する。
Ｓ３０１において、キャリブレーション部２０１は、キャリブレーションの目標値を取得する。具体的には、キャリブレーション部２０１は、図４にあるようなキャリブレーション目標値入力画面４０１を表示し、ユーザによる目標値の入力を受け付ける。ここで、画面４０１を表示するとは、画面４０１のＧＵＩを構成する画像情報をモニタ１０２へ出力し表示させることである。ユーザはモニタ１０２が所望の画質（例えばユーザの使用環境にあった画質）となるように、キャリブレーション目標値入力画面４０１を見ながら、キーボード・マウス２２３を操作してキャリブレーションの各種の目標値をＰＣ１０１に入力する。キャリブレーションの目標値としては、例えば、色域、輝度、白色点、ガンマ等がある。
【００２５】
キャリブレーション部２０１は、ユーザが入力したキャリブレーション目標値を、通信制御部２０４を介して、モニタ１０２の制御部２１４へ送信する。キャリブレーション目標値を受信した制御部２１４は、当該目標値の情報を記憶部２１１に記憶する。
Ｓ３０２において、キャリブレーション部２０１は、モニタ１０２に接続している測色センサ１０３の初期化処理を行う。具体的には、キャリブレーション部２０１は、モニタ１０２の測色制御部２１６に対し、測色センサ１０３の初期化を実行する指示を出力する。測色制御部２１６は初期化処理の結果を制御部２１４へ送信する。
【００２６】
Ｓ３０３において、キャリブレーション部２０１は、測色センサ１０３の初期化処理結果と、設定されたキャリブレーション目標値が正常であることを確認し、キャリブレーションを実行する。このキャリブレーションは、キャリブレーション目標値入力画面４０１で設定されたキャリブレーション目標値とモニタ１０２の画質が一致するように行われる。キャリブレーション部２０１は、モニタ１０２の色や明るさを測色センサ１０３により測定した測定値とキャリブレーション目標値とが一致するように、画質調整部２１５と連携してモニタ１０２の画質を調整する。
【００２７】
Ｓ３０４において、キャリブレーション部２０１は、目標値と測定値とが一致したと判定したときの画質調整部２１５による調整パラメータの情報を制御部２１４から取得する。キャリブレーション部２０１は、取得した調整パラメータの情報に基づき、ＩＣＣプロファイルを作成してモニタ１０２への画像出力に適用する。また、キャリブレーション部２０１は、モニタ１０２に対し、キャリブレーション結果に基づく画質調整値を適用するよう指示を出す。
以上の処理により、キャリブレーション部２０１は、ユーザが設定した目標値となるようにモニタ１０２の画質を調整（キャリブレーション）する。
【００２８】
＜キャリブレーション処理（Ｓ３０３）の説明＞
Ｓ３０３のキャリブレーション処理の詳細について図５に基づき説明する。図５はキャリブレーション処理を示すフローチャートである。
Ｓ１０１において、キャリブレーション部２０１は、色域調整及び色温度調整を行う。なお、実施例１ではこれらの調整項目については本質的ではないので説明を割愛する。
Ｓ１０２において、キャリブレーション部２０１は、キャリブレーション目標値入力画面４０１においてユーザにより設定された白輝度及び黒輝度の目標値とモニタ１０２の白輝度及び黒輝度の測定値とを一致させるように輝度調整処理を行う。
Ｓ１０３において、キャリブレーション部２０１は、ガンマ調整を行う。なお、実施例１ではこの調整項目については本質的ではないので説明を割愛する。
【００２９】
＜輝度調整（Ｓ１０２）の説明＞
Ｓ１０２の輝度調整処理は、図６のフローチャートに従って行われる。輝度調整処理は、輝度調整１（Ｓ５０２）、輝度調整２（Ｓ５０３）、輝度調整３（Ｓ５０４）、の３ステップにより行われる。これらの輝度調整処理は、キャリブレーション部２０１により行われる。
輝度調整１（Ｓ５０２）は、ユーザにより設定された白輝度の目標値に基づき、バックライト２１０の輝度を調整する処理である。
輝度調整２（Ｓ５０３）は、ユーザにより設定された黒輝度の目標値に基づき、表示部２０８の輝度を調整する処理である。
輝度調整３（Ｓ５０４）は、ユーザにより設定された白輝度の目標値に基づき、輝度調整１（Ｓ５０２）で調整しきれない分を、表示部２０８の輝度により調整する処理である。
以降、輝度調整１、輝度調整２、及び輝度調整３の詳細について説明する。
【００３０】
＜輝度調整１（Ｓ５０２）：白輝度調整（バックライト発光量）の説明＞
輝度調整１は、測色センサ１０３による白輝度の測定値が、設定した白輝度の目標値となるようにバックライトのゲインを調整する処理である。説明にあたっては、図２、図７、図８及び図９を参照する。
図７は輝度調整１の処理を表すフローチャートである。
Ｓ６０１において、キャリブレーション部２０１は、図８に示すように、表示部２０８の第２液晶パネル２２１及び第１液晶パネル２２２に白色パッチ７０１を表示する。ここで、第１液晶パネル２２２に表示するパッチは、第２液晶パネル２２１に表示するパッチの大きさよりも大きく、第２液晶パネル２２１に表示するパッチ領域の座標を全て含むものとする。
【００３１】
Ｓ６０２において、キャリブレーション部２０１は、測色制御部２１６を経由して、白色パッチ７０１上に配置された測色センサ１０３から輝度の測定値（Ｙｗａ）を取得する。
Ｓ６０３において、キャリブレーション部２０１は、取得した輝度の測定値（Ｙｗａ）と白輝度の目標値とに基づいて、バックライトゲイン補正値を算出する。バックライトゲイン補正値は、例えば測定値と目標値との比により算出することができる。バックライトゲイン補正値の算出方法は一例でありこれに限らない。
【００３２】
Ｓ６０４において、キャリブレーション部２０１は、算出したバックライトゲイン補正値をバックライト制御部２０９へ送信し、バックライトゲイン補正値をバックライト２１０に適用する。
Ｓ６０５において、キャリブレーション部２０１は、Ｓ６０４でバックライトゲイン補正値が適用された状態で、再度、測色制御部２１６を経由して、白色パッチ７０１上に配置された測色センサ１０３から輝度の測定値（Ｙｗｂ）を取得する。
【００３３】
Ｓ６０６において、キャリブレーション部２０１は、Ｓ６０５で取得した輝度の測定値（Ｙｗｂ）が、白輝度の目標値の範囲内にあるか否か判定する。ここでは、測定値が目標値の範囲内であるとは、測定値と目標値との差異（差の大きさ）が所定の閾値以下であることと定義する。以下、本明細書内で同様とする。なお判定方法は一例でありこれに限ら
ない。
輝度の測定値（Ｙｗｂ）が目標値の範囲内でなかった場合（Ｓ６０６：Ｎｏ）、キャリブレーション部２０１は、Ｓ６０３に戻り、Ｓ６０５で取得した輝度の測定値（Ｙｗｂ）と目標値とに基づきバックライトゲイン補正値を再度、算出する。
輝度の測定値（Ｙｗｂ）が目標値の範囲内にある場合（Ｓ６０６：Ｙｅｓ）、Ｓ６０７に進む。Ｓ６０７において、キャリブレーション部２０１は、Ｓ６０３で算出したバックライトゲイン補正値(Ｂｌｇａｉｎ＿ｗ)と、Ｓ６０５で取得した輝度の測定値（Ｙｗｂ）とを、記憶部２１１に記憶する。
【００３４】
以上のフローチャートにより、キャリブレーション部２０１は、測色センサ１０３により取得される白輝度の測定値と目標値に基づき、バックライト２１０の発光量を補正する処理（第３補正処理という）を行う。
ここで、測定値が目標値の範囲内であるか否かの判定に用いる閾値は、ユーザが入力部２２０を介してＰＣ１０１に入力した値に基づきキャリブレーション部２０１が決定しても良いし、予めモニタ１０２の記憶部２１１に記憶されている値を用いても良い。
【００３５】
キャリブレーション部２０１は、後述する輝度調整３による調整を考慮し、輝度調整１によるバックライトの発光量の調整において、調整後の輝度の測定値（Ｙｗｂ）が、白輝度の目標値よりも高い値となるようにしても良い。例えば、調整後の輝度を、目標値より明るい側で目標値に最も近い輝度であるＹｗｂ１か、目標値より暗い側で目標値に最も近い輝度であるＹｗｂ２か、いずれかに調整可能であるとする。このとき、Ｙｗｂ２の方がＹｗｂ１より目標値に近かったとしても、Ｙｗｂ１が輝度調整１による最終的な調整後の輝度となるようにしても良い。これにより、図９に示すように、白輝度Ｙｗｂが目標値より明るくなるようなバックライトゲインＢｌｇａｉｎ＿ｗが得られる。
【００３６】
＜輝度調整２（Ｓ５０３）：黒輝度調整（ＲＧＢオフセット）の説明＞
輝度調整２は、測色センサ１０３による黒輝度の測定値が、設定した黒輝度の目標値となるように液晶パネルの透過率を制御する画像データのＲＧＢオフセットを調整する処理である。実施例１では、輝度調整２により調整される画像データは、第１液晶パネル２２２の透過率の制御に用いられる画像データ（第１画像データ）である。説明にあたっては、図２、図１０、図１１及び図１２を参照する。
図１０は輝度調整２の処理を表すフローチャートである。
Ｓ８０１において、キャリブレーション部２０１は、図１１に示すように、表示部２０８の第２液晶パネル２２１及び第１液晶パネル２２２に黒色パッチ９０１を表示する。ここで、第１液晶パネル２２２に表示するパッチは、第２液晶パネル２２１に表示するパッチの大きさよりも大きく、第２液晶パネル２２１に表示するパッチ領域の座標を全て含むものとする。
【００３７】
Ｓ８０２において、キャリブレーション部２０１は、測色制御部２１６を経由して、黒色パッチ９０１上に配置された測色センサ１０３から輝度の測定値（Ｙｂｍ）を取得する。
Ｓ８０３において、キャリブレーション部２０１は、取得した輝度の測定値（Ｙｂｍ）と黒輝度の目標値に基づいて、第１液晶パネル２２２の制御に用いる画像データのＲＧＢオフセット値を算出する。
Ｓ８０４において、キャリブレーション部２０１は、Ｓ８０３で算出したＲＧＢオフセット値を画質調整部２１５及び表示制御部２０７へ送信する。これにより、第１液晶パネル２２２の透過率が調整される。
Ｓ８０５において、キャリブレーション部２０１は、再度、測色制御部２１６を経由して、黒色パッチ９０１上に配置された測色センサ１０３から輝度の測定値（Ｙｂｎ）を取得する。
【００３８】
Ｓ８０６において、キャリブレーション部２０１は、Ｓ８０５で取得した輝度の測定値（Ｙｂｎ）が、黒輝度の目標値の範囲内であるか否かを判定する。
輝度の測定値（Ｙｂｎ）が黒輝度の目標値の範囲内にない場合（Ｓ８０６：Ｎｏ）、キャリブレーション部２０１は、Ｓ８０５で取得した測定値（Ｙｂｎ）に基づきＳ８０３のＲＧＢオフセット値を算出する。
輝度の測定値（Ｙｂｎ）が黒輝度の目標値の範囲内にある場合（Ｓ８０６：Ｙｅｓ）、キャリブレーション部２０１は、Ｓ８０７に進む。
Ｓ８０７において、キャリブレーション部２０１は、Ｓ８０４で算出したＲＧＢオフセット値（ＲＧＢｏ（Ｒｏ，Ｇｏ，Ｂｏ））とＳ８０５で取得した輝度の測定値（Ｙｂｎ）を、記憶部２１１へ記憶する。
【００３９】
図１２に輝度調整２で算出されるＲＧＢオフセット値（ＲＧＢｏ（Ｒｏ，Ｇｏ，Ｂｏ））と調整後の黒輝度（Ｙｂｎ）を示す。図１２に示すように、輝度調整２では第１液晶パネル２２２を制御する画像データのＲＧＢオフセットが調整されるため、第２液晶パネル２２１の本来の表示性能（階調数）を維持することができる。
以上のフローチャートにより、キャリブレーション部２０１は、測色センサ１０３により取得される黒輝度の測定値と目標値に基づき、第１液晶パネル２２２の制御に用いられる第１画像データを補正する処理（第１補正処理）を行う。
ここで、測定値が目標値の範囲内であるか否かの判定に用いる閾値は、ユーザが入力部２２０を介してＰＣ１０１に入力した値に基づきキャリブレーション部２０１が決定しても良いし、予めモニタ１０２の記憶部２１１に記憶されている値を用いても良い。
【００４０】
＜輝度調整３（Ｓ５０４）：白輝度調整（ＲＧＢゲイン）の説明＞
輝度調整３は、測色センサ１０３による白輝度の測定値が、設定した白輝度の目標値となるように液晶パネルの透過率を制御する画像データのゲインを調整する処理である。実施例１では、輝度調整３により調整される画像データは、第１液晶パネル２２２の透過率の制御に用いられる画像データ（第１画像データ）である。説明にあたっては、図２、図１３及び図１４を参照する。
図１３は輝度調整３の処理を表すフローチャートである。
Ｓ１００１において、キャリブレーション部２０１は、図８に示すように、表示部２０８の第２液晶パネル２２１及び第１液晶パネル２２２に白色パッチ７０１を表示する。ここで、第１液晶パネル２２２に表示するパッチは、第２液晶パネル２２１に表示するパッチの大きさよりも大きく、第２液晶パネル２２１に表示するパッチ領域の座標を全て含むものとする。
【００４１】
Ｓ１００２において、キャリブレーション部２０１は、測色制御部２１６を経由して、白色パッチ７０１上に配置された測色センサ１０３から輝度の測定値（Ｙｗｕ）を取得する。
Ｓ１００３において、キャリブレーション部２０１は、取得した輝度の測定値（Ｙｗｕ）と白輝度の目標値に基づいて、第１液晶パネル２２２の制御に用いる画像データのＲＧＢゲイン値を算出する。
Ｓ１００４において、キャリブレーション部２０１は、Ｓ１００３で算出したＲＧＢゲイン値を画質調整部２１５及び表示制御部２０７へ送信する。これにより、第１液晶パネル２２２の透過率が調整される。
Ｓ１００５において、キャリブレーション部２０１は、再度、測色制御部２１６を経由して、白色パッチ７０１上に配置された測色センサ１０３から輝度の測定値（Ｙｗｖ）を取得する。
【００４２】
Ｓ１００６において、キャリブレーション部２０１は、Ｓ１００５で取得した輝度の測
定値（Ｙｗｖ）が、白輝度の目標値の範囲内であるか否かを判定する。
輝度の測定値（Ｙｗｖ）が白輝度の目標値の範囲内にない場合（Ｓ１００６：Ｎｏ）、キャリブレーション部２０１は、Ｓ１００５で取得した測定値（Ｙｗｖ）に基づきＳ１００３のＲＧＢゲイン値を算出する。
輝度の測定値（Ｙｗｖ）が白輝度の目標値の範囲内にある場合（Ｓ１００６：Ｙｅｓ）、キャリブレーション部２０１は、Ｓ１００７に進む。
Ｓ１００７において、キャリブレーション部２０１は、Ｓ１００４で算出したＲＧＢゲイン値(ＲＧＢｇ(Ｒｇ，Ｇｇ，Ｂｇ))とＳ１００５で取得した輝度の測定値（Ｙｗｖ）を、記憶部２１１へ記憶する。
【００４３】
図１４に輝度調整３で算出されるＲＧＢゲイン値(ＲＧＢｇ(Ｒｇ，Ｇｇ，Ｂｇ))と調整後の白輝度（Ｙｗｖ）を示す。図１４に示すように、輝度調整３では第１液晶パネル２２２を制御する画像データのＲＧＢゲインが調整されるため、調整によって第２液晶パネル２２１の本来の表示性能（階調数）を維持することができる。
以上のフローチャートにより、キャリブレーション部２０１は、測色センサ１０３により取得される白輝度の測定値と目標値に基づき、第１液晶パネル２２２の制御に用いられる第１画像データを補正する処理（第１補正処理）を行う。
ここで、測定値が目標値の範囲内であるか否かの判定に用いる閾値は、ユーザが入力部２２０を介してＰＣ１０１に入力した値に基づきキャリブレーション部２０１が決定しても良いし、予めモニタ１０２の記憶部２１１に記憶されている値を用いても良い。
【００４４】
以上の処理により、二重液晶を構成するモニタのキャリブレーションにおいて、バックライト側に配置される第１液晶パネルのオフセット及びゲインを優先的に調節する。これにより、第２液晶パネルの本来有する表示性能（有効階調数）がキャリブレーションによる調整に起因して低減することを抑制できる。よって、第２液晶パネルの表示階調性能を最大限に生かすことができ、二重液晶による高コントラストと、高い表示性能とを両立させることができる表示装置のキャリブレーションを行うことが可能となる。
【００４５】
（実施例２）
実施例１で説明した第１液晶パネル２２２の透過率の制御に用いられる第１画像データのオフセットやゲインを調整するキャリブレーションを行っても、目標値の範囲内の輝度に調整できない場合があり得る。
そのような場合、まず第１液晶パネル２２２のＲＧＢオフセット調整・ＲＧＢゲイン調整によりできるだけ目標値へ近づけ、その状態で第２液晶パネル２２１のＲＧＢオフセット調整・ＲＧＢゲイン調整を行うことにより輝度が目標値の範囲内になるように調整する。実施例２では、第１液晶パネル２２２のキャリブレーションを行った後に、第２液晶パネル２２１のキャリブレーションを行う例を説明する。
なお、このような状況は、例えば、第１液晶パネル２２２の表示可能な階調数が第２液晶パネル２２１の表示可能な階調数より少ない場合に生じやすい。例えば、第１液晶パネル２２２の階調数が２５６階調、第２液晶パネルの階調数が１０２４階調等の場合である。ただし、実施例２は、第１液晶パネル２２２と第２液晶パネル２２１の表示性能に差があるか否かにかかわらず適用可能である。
【００４６】
実施例２のキャリブレーション方法を説明する。説明にあたっては、図２、図１５を参照する。なお、モニタ１０２のバックライト２１０、第２液晶パネル２２１、及び第１液晶パネル２２２は、実施例１と同様の配置・構造とする。図１５は実施例２のキャリブレーション処理を表すフローチャートである。
Ｓ１２０１において、キャリブレーション部２０１は、実施例１と同様、第１液晶パネル２２２のＲＧＢゲイン調節により、モニタ１０２の黒輝度、白輝度が目標値と一致するように調整を行う（第１補正処理）。
Ｓ１２０２において、キャリブレーション部２０１は、Ｓ１２０１の第１補正処理により補正された第１画像データにより第１液晶パネル２２２が制御されている状態で測色センサ１０３から取得される黒輝度及び白輝度の測定値が、目標値の範囲内か判定する。
【００４７】
Ｓ１２０２において、黒輝度の測定値及び白輝度の測定値がそれぞれ目標値の範囲内にある場合（Ｓ１２０２：Ｙｅｓ）、キャリブレーション部２０１はキャリブレーション処理を正常に終了する。
Ｓ１２０２において、測定値の測定値及び白輝度の測定値がそれぞれ目標値の範囲内にない場合（Ｓ１２０２：Ｎｏ）、キャリブレーション部２０１は、Ｓ１２０３に進む。
Ｓ１２０３において、キャリブレーション部２０１は、測定値が目標値の範囲内にないと判定された回数をカウントする変数Ａを１増加する。なお、この変数Ａの初期値は０とする。
【００４８】
Ｓ１２０４において、キャリブレーション部２０１は、変数Ａが閾値以下か否かを判定し、変数Ａが閾値以下であれば（Ｓ１２０４：Ｙｅｓ）、再度、Ｓ１２０１の第１液晶パネル２２２の輝度調整処理を行う。変数Ａが閾値より大きい場合（Ｓ１２０４：Ｎｏ）、キャリブレーション部２０１は、Ｓ１２０５に進む。
Ｓ１２０５において、キャリブレーション部２０１は、第２液晶パネル２２１に対して、Ｓ１２０１で第１液晶パネル２２２に対して行った輝度調整処理と同様の輝度調整処理を行う（第２補正処理）。すなわち、キャリブレーション部２０１は、第１補正処理によって補正された第１画像データにより第１液晶パネル２２２が制御されている状態で第２補正処理を行う。第２補正処理は、測色センサ１０３により取得される測定値と目標値とに基づき、第２液晶パネル２２１の制御に用いられる第２画像データを補正する処理である。
【００４９】
Ｓ１２０６において、キャリブレーション部２０１は、Ｓ１２０５の第２補正処理により補正された第２画像データにより第２液晶パネル２２１が制御されている状態で測色センサ１０３から取得される黒輝度及び白輝度の測定値が、目標値の範囲内か判定する。
Ｓ１２０６において、黒輝度の測定値及び白輝度の測定値がそれぞれ目標値の範囲内にある場合（Ｓ１２０６：Ｙｅｓ）、キャリブレーション部２０１はキャリブレーション処理を正常に終了する。
Ｓ１２０６において、黒輝度の測定値及び白輝度の測定値がそれぞれ目標値の範囲内にない場合（Ｓ１２０６：Ｎｏ）、キャリブレーション部２０１は、Ｓ１２０７に進む。
Ｓ１２０７において、キャリブレーション部２０１は、測定値が目標値の範囲内にないと判定された回数をカウントする変数Ｂを１増加する。なお、この変数Ａの初期値は０とする。
【００５０】
Ｓ１２０８において、キャリブレーション部２０１は、変数Ｂが閾値以下か否かを判定し、変数Ｂが閾値以下であれば（Ｓ１２０８：Ｙｅｓ）、再度、Ｓ１２０５の第２液晶パネル２２１の輝度調整処理を行う。変数Ｂが閾値より大きい場合（Ｓ１２０８：Ｎｏ）、キャリブレーション部２０１は、Ｓ１２０９に進む。
Ｓ１２０９において、キャリブレーション部２０１は、モニタ１０２のキャリブレーションは正常に行えなかったと判定する。
【００５１】
以上の処理により、キャリブレーション部２０１は、第２液晶パネル２２１の透過光の測定値を目標値に近づけるように第１補正処理を行った後の測定値と目標値との際が閾値より大きい場合に、第２補正処理を行う。これにより、第１液晶パネル２２２の透過率を制御する第１画像データのオフセット・ゲイン調整で目標値を達成できない場合にのみ、第２液晶パネル２２１の透過率を制御する第２画像データのオフセット・ゲイン調整が行われる。従って、第２液晶パネルの階調性能を最大限生かしつつ、表示輝度を高精度にキ
ャリブレーションすることが可能となる。特に、第１液晶パネル２２２より第２液晶パネル２２１の階調表示性能が高い場合に実施例２のキャリブレーション方法を適用することが好適である。
【００５２】
（実施例３）
本発明の実施例３の全体構成は、実施例１で説明した図１（Ａ）、図２に示す構成と同様である。以下の説明では、実施例１との差異を中心に説明し、実施例１で説明した内容については割愛する。
実施例３では、二重液晶において表示性能が高い方の液晶パネルを主パネル、表示性能が低い方の液晶パネルを副パネルとして特定し、各液晶パネルが主パネルであるか副パネルであるかに基づいて輝度調整を行う。実施例３では、一例として、第２液晶パネル２２１は、解像度、階調数が高い主パネルとし、第１液晶パネル２２２は、第２液晶パネル２２１に比べ、解像度、階調数が低い副パネルとする。ただし、バックライト側に配置された第１液晶パネル２２２と表示面側に配置された第２液晶パネル２２１とのどちらを主パネルとするかはこの構成に限らない。
【００５３】
＜キャリブレーション処理フローの説明＞
ＰＣ１０１とモニタ１０２で行うモニタのキャリブレーション処理について説明する。実施例３のキャリブレーション処理の流れは、実施例１において説明した図３のフローチャートで示す通りである。
実施例１で説明したキャリブレーション処理との相違点は、図１６に示す、Ｓ３０１において目標値の入力を行うために表示するキャリブレーション目標値入力画面５０１である。実施例１で説明した図４の画面４０１と比較すると、キャリブレーションの調整モードを選択する項目が追加されている。実施例３では、調整モードとしては、第１モードと第２モードとを切り替え可能であるとする。第１モードは、中間階調におけるグレースケールのＲＧＢ各色のバランスを保つように階調性能を優先するように調整するグレーバランス重視モードである。第２モードは、コントラスト性能を優先して調整するコントラスト重視モードである。
実施例３では、図３のＳ３０３のキャリブレーション処理は、画面５０１で入力されるキャリブレーションの調整モードにも基づいて行われる。Ｓ３０３のキャリブレーション処理は、実施例１と同様、図５のフローチャートに従って行われる。図５のフローチャートのＳ１０１、Ｓ１０３の処理は実施例３では本質的ではないので説明を割愛する。Ｓ１０２の輝度調整処理について以下、説明する。
【００５４】
＜輝度調整処理（Ｓ１０２）の説明＞
Ｓ１０２の輝度調整処理は、図１７のフローチャートに従って行われる。
Ｓ７０１において、キャリブレーション部２０１は、図１６の画面５０１を介したキャリブレーション目標値の入力処理によってユーザにより指定された調整モードの情報を通信制御部２０４、通信制御部２１８を経由して記憶部２１１から取得する。
Ｓ７０２において、キャリブレーション部２０１は、第２液晶パネル２２１と第１液晶パネル２２２の情報を取得する。取得するパネル情報は、解像度や階調数等の表示性能（透過率の調節に関する性能）の情報である。
【００５５】
Ｓ７０３において、キャリブレーション部２０１は、Ｓ７０１で取得した調整モードに応じた輝度調整処理方法を決定する。
ユーザが選択した調整モードがグレーバランス重視モード（第１モード）の場合（Ｓ７０３：Ｙｅｓ）、キャリブレーション部２０１は、Ｓ７０４に進み輝度調整処理Ａ（Ｓ７０４）を行う。
ユーザが選択した調整モードがコントラスト重視モード（第２モード）の場合（Ｓ７０３：Ｎｏ）、キャリブレーション部２０１は、Ｓ７０５に進み輝度調整処理Ｂ（Ｓ７０５
）を行う。
【００５６】
輝度調整処理Ａでは、まず、測色センサ１０３により取得される測定値と目標値に基づき第１液晶パネル２２２及び第２液晶パネル２２１のうち副パネルの制御に用いられる第１画像データを補正する第１補正処理を行う。次に、第１補正処理により補正された第１画像データにより副パネルが制御されている状態で、測色センサ１０３により取得される測定値と目標値に基づき主パネルの制御に用いられる第２画像データを補正する第２補正処理を行う。このとき、測色センサ１０３による測定値を目標値に近づけるように第１補正処理を行った後の測定値と目標値との際が閾値より大きい場合に、第２補正処理を行うようにする。これにより、副パネルのキャリブレーションで目標値を達成できない場合にのみ、主パネルのキャリブレーションが行われるので、キャリブレーションによる表示性能の低下を抑制できる。
以下、輝度調整処理Ａ及び輝度調整処理Ｂについて詳細に説明する。
【００５７】
＜輝度調整処理Ａの説明（調整モードがグレーバランス重視の場合の輝度調整）＞
指定された調整モードがグレーバランス重視の第１モードの場合の第２液晶パネル２２１及び第１液晶パネル２２２のキャリブレーション方法（輝度調整処理Ａ）について説明する。輝度調整処理Ａでは、（１）バックライト２１０の発光量調整による白輝度調整、（２）液晶パネルのゲイン・オフセット調整による黒輝度調整、（３）液晶パネルのゲイン・オフセット調整による白輝度調整の順に実行する。
【００５８】
＜輝度調整処理Ａの白輝度調整（Ｂ／Ｌ）説明＞
まず、バックライトゲインにより、測色センサ１０３による測定値が設定した白輝度の目標値に近づくように調整を行う。説明にあたっては、図２、図１８及び図８、図９を参照する。
Ｓ９０１において、キャリブレーション部２０１は、図８に示すように、表示部２０８の第２液晶パネル２２１及び第１液晶パネル２２２に白色パッチ７０１を表示する。ここで、第１液晶パネル２２２に表示するパッチは、第２液晶パネル２２１に表示するパッチの大きさよりも大きく、第２液晶パネル２２１に表示するパッチ領域の座標を全て含むものとする。
【００５９】
Ｓ９０２において、キャリブレーション部２０１は、測色制御部２１６を経由して、白色パッチ７０１上に配置された測色センサ１０３から輝度の測定値（Ｙｗａ）を取得する。
Ｓ９０３において、キャリブレーション部２０１は、Ｓ９０２で取得した輝度の測定値（Ｙｗａ）と白輝度の目標値に基づいて、バックライトゲイン補正値を算出する。バックライトゲイン補正値は、例えば測定値と目標値との比により算出することができる。バックライトゲイン補正値の算出方法は一例でありこれに限らない。
Ｓ９０４において、キャリブレーション部２０１は、Ｓ９０３で算出したバックライトゲイン補正値をバックライト制御部２０９へ送信し、バックライトゲイン補正値をバックライト２１０に適用する。
Ｓ９０５において、キャリブレーション部２０１は、Ｓ９０４でバックライトゲイン補正値が適用された状態で、再度、測色制御部２１６を経由して、白色パッチ７０１上に配置された測色センサ１０３から輝度の測定値（Ｙｗｂ）を取得する。
【００６０】
Ｓ９０６において、キャリブレーション部２０１は、Ｓ９０５で取得した輝度の測定値（Ｙｗｂ）が、白輝度の目標値の範囲内にあるか否かを判定する。
輝度の測定値（Ｙｗｂ）が目標値の範囲内にある場合（Ｓ９０６：Ｙｅｓ）、Ｓ９０７に進む。Ｓ９０７において、キャリブレーション部２０１は、Ｓ９０３で算出したバックライトゲイン補正値(Ｂｌｇａｉｎ＿ｗ)と、Ｓ９０５で取得した輝度の測定値（Ｙｗｂ）
とを、記憶部２１１に記憶する。
【００６１】
輝度の測定値（Ｙｗｂ）が目標値の範囲内にない場合（Ｓ９０６：Ｎｏ）、Ｓ９０８において、キャリブレーション部２０１は、Ｓ９０６の判定処理の実行回数（判定回数）Ｃｎを取得し、閾値に達しているか否かを判定する。
判定回数Ｃｎが閾値以上である場合（Ｓ９０８：Ｙｅｓ）、Ｓ９０９において、キャリブレーション部２０１は、白輝度を目標値に調整することはできないと判定して、キャリブレーション処理を終了する。
【００６２】
判定回数Ｃｎが閾値より小さい場合（Ｓ９０８：Ｎｏ）、キャリブレーション部２０１は、Ｓ９０３に戻り、Ｓ９０６で取得した輝度の測定値（Ｙｗｂ）と目標値とに基づきバックライトゲイン補正値を再度、算出する。続いて、キャリブレーション部２０１は、Ｓ９０４以降の処理を実行する。ここで、判定回数Ｃｎは、バックライトの発光量調整による白輝度のキャリブレーション処理が開始されるときに初期化（Ｃｎ＝０）され、Ｓ９０６の判定処理が行われるたびに１加算される。
キャリブレーション部２０１は、後述する液晶パネルのゲイン・オフセット調整による輝度調整を考慮してバックライト２１０の調整を行う。具体的には、バックライトの発光量の調整は、調整後の輝度の測定値（Ｙｗｂ）が、白輝度の目標値よりも高い値となるように、バックライトゲイン補正値(Ｂｌｇａｉｎ＿ｗ)を算出し、バックライト２１０を調整する。
【００６３】
＜輝度調整処理Ａの黒輝度調整（ＲＧＢオフセット）説明＞
次に、液晶パネルのＲＧＢオフセットにより、設定した黒輝度の目標値となるように調整を行う。説明にあたっては、図２、図１１、図１９、図２０、図２１、図２２を参照する。
図１９は、輝度調整処理Ａの液晶パネルのオフセット調整による黒輝度調整を表すフローチャートである。
Ｓ１９０１において、キャリブレーション部２０１は、図１１に示すように、表示部２０８の第２液晶パネル２２１及び第１液晶パネル２２２に黒色パッチ９０１を表示する。ここで、第１液晶パネル２２２に表示するパッチは、第２液晶パネル２２１に表示するパッチの大きさよりも大きく、第２液晶パネル２２１に表示するパッチ領域の座標を全て含むものとする。
【００６４】
Ｓ１９０２において、キャリブレーション部２０１は、解像度、階調数が低い副パネルである第１液晶パネル２２２の輝度調整を行う。キャリブレーション部２０１は、図１１に示すように画面上に表示した黒色パッチ９０１を測色センサ１０３により測定して得た輝度の測定値（Ｙｂｎｏ）を取得する。キャリブレーション部２０１は、輝度の測定値（Ｙｂｎｏ）が目標値（Ｙｂｔ）にできるだけ近い値となるように、第１液晶パネル２２２のＲＧＢオフセット値を調整する（ＲＧＢｏ（Ｒｏ，Ｇｏ，Ｂｏ））。このとき、第２液晶パネル２２１は、ＲＧＢオフセット値を最小値（ＲＧＢｏｘ（Ｒｏｘ，Ｇｏｘ，Ｂｇｘ））とした黒を出力しているものとする。
【００６５】
Ｓ１９０３において、キャリブレーション部２０１は、Ｓ１９０２の輝度調整をした状態において、輝度の測定値（Ｙｂｎｏ）が目標値の範囲内にあるか否かを判定する。ここでは、キャリブレーション部２０１は、輝度の測定値（Ｙｂｎｏ）と目標値（Ｙｂｔ）との差（Ｄｙｂ）が予め決められた閾値以下であるか否かを判定する。ここで、測定値が目標値の範囲内であるか否かの判定に用いる閾値は、ユーザが入力部２２０を介してＰＣ１０１に入力した値に基づきキャリブレーション部２０１が決定しても良いし、予めモニタ１０２の記憶部２１１に記憶されている値を用いても良い。
【００６６】
輝度の測定値（Ｙｂｎｏ）と目標値（Ｙｂｔ）との差（Ｄｙｂ）が閾値以下である場合（Ｓ１９０３：Ｙｅｓ）、キャリブレーション部２０１は、輝度を目標値に調整できたと判定してキャリブレーションを終了する。
輝度の測定値（Ｙｂｎｏ）と目標値（Ｙｂｔ）との差（Ｄｙｂ）が閾値より大きい場合（Ｓ１９０３：Ｎｏ）、Ｓ１９０４において、キャリブレーション部２０１は、輝度の測定値（Ｙｂｎｏ）が目標値（Ｙｂｔ）より大きいか否かを判定する。
【００６７】
輝度の測定値（Ｙｂｎｏ）が目標値（Ｙｂｔ）より大きい場合（Ｓ１９０４：Ｙｅｓ）、Ｓ１９０５に進む。
輝度の測定値（Ｙｂｎｏ）が目標値（Ｙｂｔ）以下の場合（Ｓ１９０４：Ｎｏ）、Ｓ１９０６に進む。
【００６８】
Ｓ１９０５において、キャリブレーション部２０１は、再度、第１液晶パネル２２２の輝度調整を行う。ここでは、キャリブレーション部２０１は、調整後の輝度がＹｂｎｏより１階調分下の輝度（Ｙｂｎａ）になるようにＲＧＢオフセット値を修正する（ＲＧＢｏｎ（Ｒｏｎ，Ｇｏｎ，Ｂｏｎ））。
Ｓ１９０４及びＳ１９０５の処理により、実施例３では、液晶パネルで黒輝度の調整を行う場合には、測色センサ１０３による輝度の測定値を目標値より暗い値で目標値に近づけるように、副パネルの制御に用いられる第１画像データを補正する第１補正処理を行う。具体的には、測色センサ１０３による輝度の測定値を目標値に近づけるように第１補正処理を行った後の測定値と目標値との差異が閾値より大きく、かつ、測定値が目標値より明るい場合、第１補正処理により求めた第１画像データを補正するための補正値を修正する。具体的には、副パネルの透過光が暗くなる方向に補正値（ＲＧＢオフセット）を修正する。実施例３では、副パネルの階調で１段分だけ透過光が暗くなるように補正値の修正を行っている。
【００６９】
Ｓ１９０６において、キャリブレーション部２０１は、輝度を目標値（Ｙｂｔ）へさらに近づけるため、第２液晶パネル２２１のＲＧＢオフセット値を調整する。キャリブレーション部２０１は、表示している黒色パッチ９０１を測色センサ１０３により測定して得た輝度の測定値（Ｙｂｍ）が目標値（Ｙｂｔ）にできるだけ近い値となるように調整を行う。具体的には、キャリブレーション部２０１は、第２液晶パネル２２１の透過率の制御に用いる第２画像データに設定するＲＧＢオフセットを調整する（ＲＧＢｏｍ（Ｒｏｍ，Ｇｏｍ，Ｂｏｍ））。このとき、第１液晶パネル２２２は、ＲＧＢオフセット値をＳ１９０２で求めたＲＧＢｏ（Ｒｏ，Ｇｏ，Ｂｏ）又はＳ１９０５で修正したＲＧＢｏｎ（Ｒｏｎ，Ｇｏｎ，Ｂｏｎ）に設定した状態で黒を出力しているものとする。
【００７０】
Ｓ１９０７において、キャリブレーション部２０１は、Ｓ１９０６の輝度調整をした状態において、輝度の測定値（Ｙｂｎａ）が目標値の範囲内にあるか否かを判定する。ここでは、キャリブレーション部２０１は、輝度の測定値（Ｙｂｎａ）と目標値（Ｙｂｔ）との差（Ｄｙｂｍ）が閾値以下であるか否かを判定する。ここで、測定値が目標値の範囲内であるか否かの判定に用いる閾値は、ユーザが入力部２２０を介してＰＣ１０１に入力した値に基づきキャリブレーション部２０１が決定しても良いし、予めモニタ１０２の記憶部２１１に記憶されている値を用いても良い。
【００７１】
輝度の測定値（Ｙｂｎａ）と目標値（Ｙｂｔ）との差（Ｄｙｂｍ）が閾値以下である場合（Ｓ１９０７：Ｙｅｓ）、キャリブレーション部２０１は、輝度を目標値に調整できたと判定してキャリブレーションを終了する。
輝度の測定値（Ｙｂｎａ）と目標値（Ｙｂｔ）との差（Ｄｙｂｍ）が閾値より大きい場合（Ｓ１９０７：Ｎｏ）、Ｓ１９０８において、キャリブレーション部２０１は、輝度を目標値に調整することができない判定し、キャリブレーションを終了する。
【００７２】
図２０（Ａ）はＳ１９０２において第１液晶パネル２２２のＲＧＢオフセット値をＲＧＢｏ（Ｒｏ，Ｇｏ，Ｂｏ）に調整することで黒輝度の測定値Ｙｂｎｏが目標値Ｙｂｔの範囲内になった場合（差分Ｄｙｂ≦閾値）を示す。この場合、図２０（Ｂ）に示すように第２液晶パネル２２１はＲＧＢオフセット調整がなされないため、第２液晶パネル２２１の表示可能階調数をキャリブレーション後も最大限維持することが可能である。
【００７３】
図２１（Ａ）はＳ１９０２において第１液晶パネル２２２のＲＧＢオフセット値をＲＧＢｏ（Ｒｏ，Ｇｏ，Ｂｏ）に調整することで黒輝度の測定値Ｙｂｎｏが目標値Ｙｂｔの範囲内にならず、かつ、測定値が目標値より大きい（Ｙｂｎｏ＞Ｙｂｔ）場合を示す。この場合、ＲＧＢオフセット値を１階調分下げる修正が行われ、第１液晶パネル２２２のＲＧＢオフセット値はＲＧＢｏｎ（Ｒｏｎ，Ｇｏｎ，Ｂｏｎ）となり、調整後の黒輝度の測定値Ｙｂｎａは目標値Ｙｂｔより小さくなっている。さらに、図２１（Ｂ）に示すように、黒輝度を目標値にさらに近づけるために第２液晶パネル２２１のＲＧＢオフセット値がＲＧＢｏｍ（Ｒｏｍ，Ｇｏｍ，Ｂｏｍ）に調整されている。これにより黒輝度の測定値Ｙｂｍは目標値Ｙｂｔとの差分Ｄｙｂｍが閾値以下となる値に調整されている。
図２２は、バックライト２１０の発光量、第１液晶パネル２２２のＲＧＢオフセット、第２液晶パネル２２１のＲＧＢオフセットの調整により、二重液晶構造の表示装置として黒輝度Ｙｂｍが目標値に調整される様子を概念的に示している。
【００７４】
＜輝度調整処理Ａの白輝度調整（ＲＧＢゲイン）説明＞
次に、液晶パネルのＲＧＢゲインにより、設定した白輝度の目標値となるように調整を行う。説明にあたっては、図２、図８、図２３、図２５、図２６を参照する。
図２３は、輝度調整処理Ａの液晶パネルのゲイン調整による白輝度調整を表すフローチャートである。
【００７５】
Ｓ１４０１において、キャリブレーション部２０１は、図８に示すように、表示部２０８の第２液晶パネル２２１及び第１液晶パネル２２２に白色パッチ７０１を表示する。ここで、第１液晶パネル２２２に表示するパッチは、第２液晶パネル２２１に表示するパッチの大きさよりも大きく、第２液晶パネル２２１に表示するパッチ領域の座標を全て含むものとする。
【００７６】
Ｓ１４０２において、キャリブレーション部２０１は、解像度、階調数が低い副パネルである第１液晶パネル２２２の輝度調整を行う。キャリブレーション部２０１は、図８に示すように画面上に表示した白色パッチ７０１を測色センサ１０３により測定して得た輝度の測定値（Ｙｗｎｏ）を取得する。キャリブレーション部２０１は、輝度の測定値（Ｙｗｎｏ）が目標値（Ｙｗｔ）にできるだけ近い値となるように、第１液晶パネル２２２のＲＧＢゲイン値を調整する（ＲＧＢｇ（Ｒｇ，Ｇｇ，Ｂｇ））。このとき、第２液晶パネル２２１は、ＲＧＢゲイン値を最大値（ＲＧＢｇｘ（Ｒｇｘ，Ｇｇｘ，Ｂｇｘ））とした白を出力しているものとする。
【００７７】
Ｓ１４０３において、キャリブレーション部２０１は、Ｓ１４０２で輝度調整をした状態において、輝度の測定値（Ｙｗｎｏ）が目標値の範囲内にあるか否かを判定する。ここでは、キャリブレーション部２０１は、輝度の測定値（Ｙｗｎｏ）と目標値（Ｙｗｔ）との差（Ｄｙｗ）が予め決められた閾値以下であるか否かを判定する。ここで、測定値が目標値の範囲内であるか否かの判定に用いる閾値は、ユーザが入力部２２０を介してＰＣ１０１に入力した値に基づきキャリブレーション部２０１が決定しても良いし、予めモニタ１０２の記憶部２１１に記憶されている値を用いても良い。
【００７８】
輝度の測定値（Ｙｗｎｏ）と目標値（Ｙｗｔ）との差（Ｄｙｗ）が閾値以下である場合
（Ｓ１４０３：Ｙｅｓ）、キャリブレーション部２０１は、輝度を目標値に調整できたと判定してキャリブレーションを終了する。
輝度の測定値（Ｙｗｎｏ）と目標値（Ｙｗｔ）との差（Ｄｙｗ）が閾値より大きい場合（Ｓ１４０３：Ｎｏ）、Ｓ１４０４において、キャリブレーション部２０１は、輝度の測定値（Ｙｗｎｏ）が目標値（Ｙｗｔ）より小さいか否かを判定する。
【００７９】
輝度の測定値（Ｙｗｎｏ）が目標値（Ｙｗｔ）より小さい場合（Ｓ１４０４：Ｙｅｓ）、Ｓ１４０５に進む。
輝度の測定値（Ｙｗｎｏ）が目標値（Ｙｗｔ）以上の場合（Ｓ１４０４：Ｎｏ）、Ｓ１４０６に進む。
Ｓ１４０５において、キャリブレーション部２０１は、再度、第１液晶パネル２２２の輝度調整を行う。ここでは、キャリブレーション部２０１は、調整後の輝度がＹｗｎｏより１階調分上の輝度（Ｙｗｎａ）になるようにＲＧＢゲイン値を修正する（ＲＧＢｇｎ（Ｒｇｎ，Ｇｇｎ，Ｂｇｎ））。
【００８０】
Ｓ１４０４及びＳ１４０５の処理により、実施例３では、液晶パネルで白輝度の調整を行う場合には、測色センサ１３０による輝度の測定値を目標値より明るい値で目標値に近づけるように副パネルの制御に用いられる第１画像データを補正する第１補正処理を行う。具体的には、測色センサ１０３による輝度の測定値を目標値に近づけるように第１補正処理を行った後の測定値と目標値との差異が閾値より大きく、かつ、測定値が目標値より暗い場合、第１補正処理により求めた第１画像データを補正するための補正値を修正する。具体的には、副パネルの透過光が明るくなる方向に補正値（ＲＧＢゲイン）を修せする。実施例３では、副パネルの階調で１段分だけ透過光が明るくなるように補正値の修正を行っている。
【００８１】
Ｓ１４０６において、キャリブレーション部２０１は、輝度を目標値（Ｙｗｔ）へさらに近づけるため、第２液晶パネル２２１のＲＧＢゲイン値を調整する。キャリブレーション部２０１は、表示している白色パッチ７０１を測色センサ１０３により測定して得た輝度の測定値（Ｙｗｍ）が目標値（Ｙｗｔ）にできるだけ近い値となるように調整を行う。具体的には、キャリブレーション部２０１は、第２液晶パネル２２１の透過率の制御に用いる第２画像データに設定するＲＧＢゲインを調整する（ＲＧＢｇｍ（Ｒｇｍ，Ｇｇｍ，Ｂｇｍ））。このとき、第１液晶パネル２２２は、ＲＧＢゲイン値をＳ１４０２で求めたＲＧＢｇ（Ｒｇ，Ｇｇ，Ｂｇ）又はＳ１４０５で修正したＲＧＢｇｎ（Ｒｇｎ，Ｇｇｎ，Ｂｇｎ）に設定した状態で白を出力しているものとする。
【００８２】
Ｓ１４０７において、キャリブレーション部２０１は、Ｓ１４０６の輝度調整をした状態において、輝度の測定値（Ｙｗｎａ）が目標値の範囲内にあるか否かを判定する。ここでは、キャリブレーション部２０１は、輝度の測定値（Ｙｗｎａ）と目標値（Ｙｗｔ）との差（Ｄｙｗｍ）が閾値以下であるか否かを判定する。ここで、測定値が目標値の範囲内であるか否かの判定に用いる閾値は、ユーザが入力部２２０を介してＰＣ１０１に入力した値に基づきキャリブレーション部２０１が決定しても良いし、予めモニタ１０２の記憶部２１１に記憶されている値を用いても良い。
【００８３】
輝度の測定値（Ｙｗｎａ）と目標値（Ｙｗｔ）との差（Ｄｙｗｍ）が閾値以下である場合（Ｓ１４０７：Ｙｅｓ）、キャリブレーション部２０１は、輝度を目標値に調整できたと判定してキャリブレーションを終了する。
輝度の測定値（Ｙｗｎａ）と目標値（Ｙｗｔ）との差（Ｄｙｍ）が閾値より大きい場合（Ｓ１４０７：Ｎｏ）、Ｓ１４０８において、キャリブレーション部２０１は、輝度を目標値に調整することができないと判定し、キャリブレーションを終了する。
【００８４】
図２４（Ａ）はＳ１４０２において第１液晶パネル２２２のＲＧＢゲイン値をＲＧＢｇ（Ｒｇ，Ｇｇ，Ｂｇ）に調整することで白輝度の測定値Ｙｗｎｏが目標値Ｙｗｔの範囲内になった場合（差分Ｄｙｗ≦閾値）を示す。この場合、図２４（Ｂ）に示すように第２液晶パネル２２１はＲＧＢゲイン調整がなされないため、第２液晶パネル２２１の表示可能階調数をキャリブレーション後も最大限維持することが可能である。
図２５（Ａ）はＳ１４０２において第１液晶パネル２２２のＲＧＢゲイン値をＲＧＢｇ（Ｒｇ，Ｇｇ，Ｂｇ）に調整することで白輝度の測定値Ｙｗｎｏが目標値Ｙｗｔの範囲内にならず、かつ、測定値が目標値より小さい（Ｙｗｎｏ＜Ｙｗｔ）場合を示す。この場合、ＲＧＢゲイン値を１階調分上げる修正が行われ、第１液晶パネル２２２のＲＧＢゲイン値はＲＧＢｇｎ（Ｒｇｎ，Ｇｇｎ，Ｂｇｎ）となり、調整後の白輝度の測定値Ｙｗｎａは目標値Ｙｗｔより大きくなっている。さらに、図２５（Ｂ）に示すように、白輝度の目標値にさらに近づけるために第２液晶パネル２２１のＲＧＢゲイン値がＲＧＢｇｍ（Ｒｇｍ，Ｇｇｍ，Ｂｇｍ）に調整されている。これにより白輝度の測定値Ｙｗｍは目標値Ｙｗｔとの差異Ｄｙｗｍが閾値以下となる値に調整されている。
図２６は、バックライト２１０の発光量、第１液晶パネル２２２のＲＧＢゲイン、第２液晶パネル２２１のＲＧＢゲインの調整により、二重液晶構造の表示装置として白輝度Ｙｗｍが目標値に調整される様子を概念的に示している。
【００８５】
＜輝度調整処理Ｂの説明（調整モードがコントラスト重視の場合の輝度調整）＞
指定された調整モードがグレーバランス重視以外（コントラスト重視）の第２モードの場合の第２液晶パネル２２１及び第１液晶パネル２２２のキャリブレーション方法（輝度調整処理Ｂ）について説明する。輝度調整処理Ｂでは、（１）バックライト２１０の発光量調整による白輝度調整、（２）液晶パネルのゲイン・オフセット調整による黒輝度調整、（３）液晶パネルのゲイン・オフセット調整による白輝度調整の順に実行する。
【００８６】
＜輝度調整処理Ｂの白輝度調整（Ｂ／Ｌ）説明＞
まず、バックライトゲインにより、測色センサ１０３による測定値が設定した白輝度の目標値に近づくように調整を行う。バックライトゲインによる白輝度調整は、輝度調整処理Ａの場合のバックライトゲインによる白輝度調整と同様であるため、説明は省略する。
【００８７】
＜輝度調整処理Ｂの黒輝度調整（ＲＧＢオフセット）説明＞
次に、液晶パネルのＲＧＢオフセットにより、設定した黒輝度の目標値となるように調整を行う。ここでは、調整モードがコントラスト重視モードであるため、コントラストが最大となるように、第２液晶パネル２２１及び第１液晶パネル２２２のＲＧＢオフセット値を最小値とする調整を行う。
【００８８】
＜輝度調整処理Ｂの白輝度調整（ＲＧＢゲイン）説明＞
次に、液晶パネルのＲＧＢゲインにより、設定した白輝度の目標値となるように調整を行う。説明にあたっては、図２、図８、図２７、図２８、図２９を参照する。
Ｓ１８０１において、キャリブレーション部２０１は、図８に示すように、表示部２０８の第２液晶パネル２２１及び第１液晶パネル２２２に白色パッチ７０１を表示する。ここで、第１液晶パネル２２２に表示するパッチは、第２液晶パネル２２１に表示するパッチの大きさよりも大きく、第２液晶パネル２２１に表示するパッチ領域の座標を全て含むものとする。
【００８９】
Ｓ１８０２において、キャリブレーション部２０１は、解像度、階調数が低い副パネルである第１液晶パネル２２２の輝度調整を行う。キャリブレーション部２０１は、図８に示すように画面上に表示した白色パッチ７０１を測色センサ１０３により測定して得た輝度の測定値（Ｙｗｎ）を取得する。キャリブレーション部２０１は、輝度の測定値（Ｙｗｎ）が目標値（Ｙｗｔ）にできるだけ近い値となるように、第１液晶パネル２２２のＲＧ
Ｂゲイン値を調整する（ＲＧＢｇ（Ｒｇ，Ｇｇ，Ｂｇ））。このとき、キャリブレーション部２０１は、輝度の測定値（Ｙｗｎ）が目標値（Ｙｗｔ）以上の値であり、かつ輝度の測定値（Ｙｗｎ）と目標値（Ｙｗｔ）ができるだけ近い値となるように第１液晶パネル２２２の輝度を調整する。
【００９０】
Ｓ１８０３において、キャリブレーション部２０１は、Ｓ１８０２で輝度調整をした状態において、輝度の測定値（Ｙｗｎ）が目標値の範囲内にあるか否かを判定する。ここでは、キャリブレーション部２０１は、輝度の測定値（Ｙｗｎ）と目標値（Ｙｗｔ）との差（Ｄｙｗ）が予め決められた閾値以下であるか否か判定する。ここで、測定値が目標値の範囲内であるか否かの判定に用いる閾値は、ユーザが入力部２２０を介してＰＣ１０１に入力した値に基づきキャリブレーション部２０１が決定しても良いし、予めモニタ１０２の記憶部２１１に記憶されている値を用いても良い。
【００９１】
輝度の測定値（Ｙｗｎ）と目標値（Ｙｗｔ）との差（Ｄｙｗ）が閾値以下である場合（Ｓ１８０３：Ｙｅｓ）、キャリブレーション部２０１は、輝度を目標値に調整できたと判定してキャリブレーションを終了する。
輝度の測定値（Ｙｗｎ）と目標値（Ｙｗｔ）との差（Ｄｙｗ）が閾値より大きい場合（Ｓ１８３０：Ｎｏ）、Ｓ１８０４に進む。
【００９２】
Ｓ１８０４において、キャリブレーション部２０１は、輝度を目標値（Ｙｗｔ）へさらに近づけるため、第２液晶パネル２２１のＲＧＢゲイン値を調整する。キャリブレーション部２０１は、表示している白色パッチ７０１を測色センサ１０３により測定して得た輝度の測定値（Ｙｗｍ）が目標値（Ｙｗｔ）にできるだけ近い値となるように調整を行う。具体的には、第２液晶パネル２２１の透過率の制御に用いる第２画像データに設定するＲＧＢゲインを調整する（ＲＧＢｇｍ（Ｒｇｍ，Ｇｇｍ，Ｂｇｍ））。このとき、第１液晶パネル２２２は、ＲＧＢゲイン値をＳ１８０２で求めたＲＧＢｇ（Ｒｇ，Ｇｇ，Ｂｇ）に設定した状態で白を出力しているものとする。
【００９３】
Ｓ１８０５において、キャリブレーション部２０１は、Ｓ１８０４の輝度調整をした状態において、輝度の測定値（Ｙｗｍ）が目標値の範囲内にあるか否かを判定する。ここでは、キャリブレーション部２０１は、輝度の測定値（Ｙｗｍ）と目標値（Ｙｗｔ）との差（Ｄｙｗｍ）が閾値以下であるか否かを判定する。
【００９４】
輝度の測定値（Ｙｗｍ）と目標値（Ｙｗｔ）との差（Ｄｙｗｍ）が閾値以下である場合（Ｓ１８０５：Ｙｅｓ）、キャリブレーション部２０１は、輝度を目標値に調整できたと判定してキャリブレーションを終了する。
輝度の測定値（Ｙｗｍ）と目標値（Ｙｗｔ）との差（Ｄｙｍ）が閾値より大きい場合（Ｓ１８０５：Ｎｏ）、Ｓ１８０６において、キャリブレーション部２０１は、輝度を目標値に調整することができないと判定し、キャリブレーションを終了する。
以上の処理により、指定されたキャリブレーションの調整モードに応じて、二重液晶構造を持つ液晶表示装置における適切な輝度調整を可能とする。
【００９５】
以上、本発明の好ましい実施例について説明したが、本発明はこれらの実施例に限定されず、その要旨の範囲内で種々の変形及び変更が可能である。
上記実施例１においては、二重液晶において、第１表示パネルは第２表示パネルより透過率の調節に関する性能が低い構成を例示したが、両者の光学性能は同じでも良い。
実施例１において、測色センサ１０３がモニタ１０２に接続される例を説明したが、測色センサ１０３はＰＣ１０１に接続されても良い。その場合、キャリブレーション装置としてのＰＣ１０１が第２表示パネルである第２液晶パネル２２１からの透過光を測定する測定手段を備える構成となる。測色センサがＰＣ１０１に接続される場合、測色センサ１
０３から測定値を取得する通信制御部２１８の機能並びに測色センサ１０３の制御及び測定値を記憶する測色制御部２１６の機能をＰＣ１０１が備える構成とする。
【００９６】
上記実施例３においては、二重液晶において、一方の液晶パネルの透過率の調節に関する性能が他方の液晶パネルの透過率の調節に関する性能より低い場合を例に説明した。実施例３の構成は、バックライトからの光の透過率を調節する第１表示パネル（バックライト側パネル）が副パネル、第１表示パネルからの透過光の透過率を調節する第２表示パネル（表側パネル）が主パネルであった。しかし、バックライトからの光の透過率を調節する第１表示パネルが主パネル、第１表示パネルからの透過光の透過率を調節する第２表示パネルが副パネルという構成も可能である。
【００９７】
また、実施例１及び２において、黒輝度のキャリブレーションを副パネル（バックライト側パネル）で行い、白輝度のキャリブレーションを主パネル（表示面側パネル）で行う構成を例示した。しかし、黒輝度のキャリブレーションを主パネルで行い、白輝度のキャリブレーションを副パネルで行っても良い。実施例１及び２の特徴は、副パネルによるキャリブレーションを先に行うことである。これにより、主パネルの制御に用いられる画像データの補正を伴う主パネルのキャリブレーションが行われる機会が抑制されるので、主パネルの高性能な透過率調節機能を有効に活用できる。従って、黒輝度のキャリブレーションを主パネルで行い、白輝度のキャリブレーションを副パネルで行う構成とする場合は、まず白輝度のキャリブレーションを行い、その後、黒輝度のキャリブレーションを行う。黒輝度のキャリブレーションは、白輝度のキャリブレーションで目標値を達成できなかった場合にのみ行うようにすることにより、高性能パネル（主パネル）の透過率調整機能をより有効に活用できる。
【００９８】
上記の各実施例では、表示装置のキャリブレーションを行うキャリブレーション部２０１が、キャリブレーション対象の表示装置であるモニタ１０２とは別体のＰＣ１０１に備わる構成を例示した。この構成ではキャリブレーション部２０１を有するＰＣ１０１が本発明のキャリブレーション装置ということになる。しかし、モニタ１０２がキャリブレーション部２０１を有する構成でも良い。その場合、モニタ１０２は、表示部と本発明のキャリブレーション装置とを有する表示装置ということになる。コンピュータが実行することにより上記各実施例で説明したキャリブレーション部２０１の諸機能を実現するプログラムやソフトウェアは本発明の実施例に含まれる。そのようなプログラムやソフトウェアが記録され、それらのプログラムやソフトウェアをコンピュータに供給する記憶媒体や記録媒体は本発明の実施例に含まれる。そのようなプログラムやソフトウェアは有線又は無線ネットワークを介して外部からコンピュータに供給されても良い。コンピュータに装着することによりコンピュータに上記各実施例で説明したキャリブレーション部２０１の諸機能を付加することができる機能拡張ボードや外付けデバイスは本発明の実施例に含まれる。
【００９９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１００】
１０１：ＰＣ、１０２：モニタ、１０３：測色センサ、２０１：キャリブレーション部、２０８：表示部、２１０：バックライト、２１５：画質調整部、２２１：第２液晶パネル、２２２：第１液晶パネル
【図１】
2017102188.tif 000003
【図２】
2017102188.tif 000004
【図３】
2017102188.tif 000005
【図４】
2017102188.tif 000006
【図５】
2017102188.tif 000007
【図６】
2017102188.tif 000008
【図７】
2017102188.tif 000009
【図８】
2017102188.tif 000010
【図９】
2017102188.tif 000011
【図１０】
2017102188.tif 000012
【図１１】
2017102188.tif 000013
【図１２】
2017102188.tif 000014
【図１３】
2017102188.tif 000015
【図１４】
2017102188.tif 000016
【図１５】
2017102188.tif 000017
【図１６】
2017102188.tif 000018
【図１７】
2017102188.tif 000019
【図１８】
2017102188.tif 000020
【図１９】
2017102188.tif 000021
【図２０】
2017102188.tif 000022
【図２１】
2017102188.tif 000023
【図２２】
2017102188.tif 000024
【図２３】
2017102188.tif 000025
【図２４】
2017102188.tif 000026
【図２５】
2017102188.tif 000027
【図２６】
2017102188.tif 000028
【図２７】
2017102188.tif 000029
【図２８】
2017102188.tif 000030
【図２９】
2017102188.tif 000031